(57)【要約】      （修正有）【課題】株価や為替の推移を現在及び未来の時間情報をパラメータとして為替相場のチャート分析を行うプログラムを提供する。【解決手段】相場情報を取得する相場情報取得手段、チャート分析起点情報を取得するチャート分析起点情報取得手段、前記起点からの分析時間を定めたチャート分析時間情報を取得するチャート分析時間情報取得手段、前記起点から指定した分析時間内における分析されたチャートを、画像表示手段に描画する期間を指定するチャート描画期間情報を取得するチャート描画期間情報取得手段、前記取得した情報をもとに、前記起点から指定した分析時間内における相場の高値情報及び安値情報を、前記取得した相場情報から抽出する高値情報抽出手段、及び安値情報抽出手段、前記取得したチャート描画期間情報をもとに、前記抽出した相場の高値情報及び安値情報を、描画期間画像表示手段に表示させる高値・安値情報出力手段により解決する。【選択図】図７
2012104067.tif 000002
【特許請求の範囲】
【請求項１】
時間毎の相場情報を取得する相場情報取得手段、
チャート分析を行う起点を定めたチャート分析起点情報を取得するチャート分析起点情報取得手段、
チャート分析を行う前記起点からの分析時間を定めたチャート分析時間情報を取得するチャート分析時間情報取得手段、
前記分析時間内における分析されたチャートを、画像表示手段に描画する期間を指定する分析チャート描画期間情報を取得する分析チャート描画期間情報取得手段、
前記取得したチャート分析起点情報及び前記チャート分析時間情報をもとに、前記分析時間内における相場の高値情報を、前記取得した相場情報から抽出する高値情報抽出手段、
前記取得したチャート分析起点情報及び前記チャート分析時間情報をもとに、前記分析時間内における相場の安値情報を、前記取得した相場情報から抽出する安値情報抽出手段、
前記取得した分析チャート描画期間情報をもとに、前記抽出した相場の高値情報及び安値情報を、前記分析されたチャートとして、前記取得した描画期間情報で指定された期間画像表示手段に表示させる高値・安値情報出力手段、
としてコンピュータを機能させるための相場チャート分析プログラム。
【請求項２】
請求項１において、
取引の判断基準を定めた取引判断基準情報を取得する取引判断基準情報取得手段、
前記高値情報抽出手段が抽出した高値情報と、前記取引判断基準情報取得手段が取得した取引判断基準情報に基づき、買判断の基準となる買判断基準情報を生成する買判断基準情報生成手段、
前記安値情報抽出手段が抽出した安値情報と、前記取引判断基準情報取得手段が取得した取引判断基準情報に基づき、売判断の基準となる売判断基準情報を生成する売判断基準情報生成手段、
前記取得した分析チャート描画期間情報をもとに、前記生成した買判断基準情報及び売判断基準情報を、前記取得した描画期間情報で指定された期間画像表示手段に表示させる買判断・売判断基準情報出力手段、
としてコンピュータを機能させるための相場チャート分析プログラム。
【請求項３】
請求項１又は２において、
前記分析チャート描画期間経過後に当該描画期間経過時点での相場の終値で自動的に決済をする自動決済処理選択情報を取得する自動決済処理選択情報取得手段、
前記取得した自動決済処理選択情報をもとに、前記分析チャート描画期間経過後に当該描画期間経過時点での相場の終値で自動的に決済をする自動決済処理手段、
として前記コンピュータを機能させるための相場チャート分析プログラム。
【発明の詳細な説明】
【技術分野】
【０００１】
本発明は、チャート分析プログラムに関し、特にインターネットを利用してオンラインで株式や為替取引を行う際に利用される相場チャートを分析するための相場チャート分析プログラムに関する。
【背景技術】
【０００２】
インターネットを利用してオンラインで株式や為替取引をする場合、ユーザ端末から、証券会社等の仲介業者が開設するウェブサイトにアクセスして株式や為替取引を行う手法が一般的である。
【０００３】
このようなオンラインでの株式や為替取引の利点としては、株式や為替取引の判断となる莫大な情報を簡単に入手できることや、ユーザが直接証券会社等の仲介業者に出向くことなく、ユーザの都合のいい時間に取引ができること、などが挙げられる。
【０００４】
一方、オンラインでの株式や為替取引をする際、前記のような莫大な情報から、どの情報を活用して取引の判断をすればよいのかユーザ自身に委ねられるので、情報の分析に時間や労力を費やす必要がある点に留意すべきである。
【０００５】
前記株式や為替取引の判断を行う際に、株価や為替の推移を表す棒状のグラフ「チャート」を利用することが一般的である。このチャートには、１日の株価や為替の変動を表す「ロウソク足」で構成されるものがある。ロウソク足は、例えば変動幅を２分毎で表す「２分足」や、１時間毎で表す「１時間足」等様々な条件で表示させることができ、このロウソク足を見ることで、これを情報源としてその当時の株価や為替の始値や終値、どれくらいの値幅のある動きだったのかなどを知ることができ、ロウソク足の推移から今後の株価や為替の推移を予測することができる。
【０００６】
しかし、このような情報はロウソク足の本数、株価や為替の高値、安値、終値、前日比、及び平均値等から算出される過去の情報であり、今後の株価や為替の推移を予測するには有効な情報であっても、実際に取引するには不確定な要素が多く、ユーザにとっては取引の判断が難しいことが共通の認識である。
【先行技術文献】
【特許文献】
【０００７】
【特許文献１】特開２０１０−２０３６０
【特許文献２】特開２００９−３１９３０
【特許文献３】特開２００６−３２３５３４
【発明の概要】
【発明が解決しようとする課題】
【０００８】
本発明は、株価や為替の推移をチャート分析起点、チャート分析時間、及び分析チャート描画期間の３つの時間情報をパラメータとして設定することにより、設定した時間内における相場の高値及び安値を分析チャートとして表示させる時間軸を採用した相場チャート分析プログラムを提供することを課題とする。
【０００９】
また、本発明は、株価や為替の推移をチャート分析起点、チャート分析時間、及び分析チャート描画期間の３つの時間情報をパラメータとして設定することにより、設定した時間内における相場の高値及び安値を分析チャートとして表示させると共に、ユーザが株式や為替取引をする際、取引判断の目安となる情報を設定することにより、ユーザが希望する取引判断情報をチャートに反映させる相場チャート分析プログラムを提供することを課題とする。
【００１０】
さらに、本発明は、株価や為替の推移をチャート分析起点、チャート分析時間、及び分析チャート描画期間の３つの時間情報をパラメータとして設定することにより、設定した時間内における相場の高値及び安値を分析チャートとして表示させると共に、分析チャート描画期間経過中、又は分析チャート描画期間経過後に当該期間経過時点での終値で株式や為替取引を行う情報を設定することにより、分析チャート描画期間経過中、又は分析チャート描画期間経過時点での終値で株式や為替取引を自動的に行う相場チャート分析プログラムを提供することを課題とする。
【課題を解決するための手段】
【００１１】
請求項１の発明は、
時間毎の相場情報を取得する相場情報取得手段、
チャート分析を行う起点を定めたチャート分析起点情報を取得するチャート分析起点情報取得手段、
チャート分析を行う前記起点からの分析時間を定めたチャート分析時間情報を取得するチャート分析時間情報取得手段、
前記分析時間内における分析されたチャートを、画像表示手段に描画する期間を指定する分析チャート描画期間情報を取得する分析チャート描画期間情報取得手段、
前記取得したチャート分析起点情報及び前記チャート分析時間情報をもとに、前記分析時間内における相場の高値情報を、前記取得した相場情報から抽出する高値情報抽出手段、
前記取得したチャート分析起点情報及び前記チャート分析時間情報をもとに、前記分析時間内における相場の安値情報を、前記取得した相場情報から抽出する安値情報抽出手段、
前記取得した分析チャート描画期間情報をもとに、前記抽出した相場の高値情報及び安値情報を、前記分析されたチャートとして、前記取得した描画期間情報で指定された期間画像表示手段に表示させる高値・安値情報出力手段、
としてコンピュータを機能させるための相場チャート分析プログラムである。
【００１２】
請求項２の発明は、
請求項１において、
取引の判断基準を定めた取引判断基準情報を取得する取引判断基準情報取得手段、
前記高値情報抽出手段が抽出した高値情報と、前記取引判断基準情報取得手段が取得した取引判断基準情報に基づき、買判断の基準となる買判断基準情報を生成する買判断基準情報生成手段、
前記安値情報抽出手段が抽出した安値情報と、前記取引判断基準情報取得手段が取得した取引判断基準情報に基づき、売判断の基準となる売判断基準情報を生成する売判断基準情報生成手段、
前記取得した分析チャート描画期間情報をもとに、前記生成した買判断基準情報及び売判断基準情報を、前記取得した描画期間情報で指定された期間画像表示手段に表示させる買判断・売判断基準情報出力手段、
としてコンピュータを機能させるための相場チャート分析プログラムである。
【００１３】
請求項３の発明は、
請求項１又は２において、
前記分析チャート描画期間経過後に当該描画期間経過時点での相場の終値で自動的に決済をする自動決済処理選択情報を取得する自動決済処理選択情報取得手段、
前記取得した自動決済処理選択情報をもとに、前記分析チャート描画期間経過後に当該描画期間経過時点での相場の終値で自動的に決済をする自動決済処理手段、
として前記コンピュータを機能させるための相場チャート分析プログラムである。
【発明の効果】
【００１４】
本発明によれば、株価や為替の推移をチャート分析起点、チャート分析時間、及び分析チャート描画期間の３つの時間情報をパラメータとして設定することにより、設定した時間内における相場の高値及び安値を分析チャートとして表示させる時間軸を採用した相場チャート分析プログラムを提供することができる。
【００１５】
また、株価や為替の推移をチャート分析起点、チャート分析時間、及び分析チャート描画期間の３つの時間情報をパラメータとして設定することにより、設定した時間内における相場の高値及び安値を分析チャートとして表示させると共に、ユーザが株式や為替取引をする際、取引判断の目安となる情報を設定することにより、ユーザが希望する取引判断情報をチャートに反映させる相場チャート分析プログラムを提供することができる。
【００１６】
さらに、株価や為替の推移をチャート分析起点、チャート分析時間、及び分析チャート描画期間の３つの時間情報をパラメータとして設定することにより、設定した時間内における相場の高値及び安値を分析チャートとして表示させると共に、分析チャート描画期間経過中、又は分析チャート描画期間経過後に当該期間経過時点での終値で株式や為替取引を行う情報を設定することにより、分析チャート描画期間経過中、又は分析チャート描画期間経過時点での終値で株式や為替取引を自動的に行う相場チャート分析プログラムを提供することができる。
【図面の簡単な説明】
【００１７】
【図１】ネットワークを通じて為替取引を行うためのシステム構成の概念図。
【図２】為替市場のサーバシステム及びサービス提供者の情報系システムの主要構成の概略図。
【図３】ユーザ端末の主要構成の概略図。
【図４】ユーザ端末が備える処理手段の構成図。
【図５】チャート分析起点情報、チャート分析時間情報、分析チャート描画期間情報、及び取引判断基準情報の入力画面を示す図。
【図６】本発明の相場チャート分析プログラムの実行により分析されたチャートを示すもので、（ａ）午後６時から１８０分間の相場の高値、安値情報を午後６時から７２０分表示させ、午前６時から１８０分間の相場の高値、安値情報を午前６時から午後６時まで表示させた概略図、（ｂ）午前６時から１８０分間の相場の高値、安値情報を午前６時から７２０分表示させ、午後６時における相場の終値で為替取引の決済を行う場合の概略図。
【図７】本発明の相場チャート分析プログラムの実行により分析されたチャート表示の一例を示す図。
【図８】チャート分析の結果、買判断をする場合の概念図であって、（ａ）為替の終値が始値よりも高い場合を示す図、（ｂ）為替の終値が始値よりも安い場合を示す図。
【図９】チャート分析の結果、売判断をする場合の概念図であって、（ａ）為替の終値が始値よりも高い場合を示す図、（ｂ）為替の終値が始値よりも安い場合を示す図。
【図１０】チャート分析起点情報、チャート分析時間情報、分析チャート描画期間情報、取引判断基準情報、及び自動決済処理選択情報の入力画面を示す図。
【図１１】自動決済処理選択情報を入力し、分析されたチャート表示の一例を示す図。
【図１２】（ａ）チャート分析処理のフローチャートを示す図、（ｂ）チャート分析処理を行い、自動決済処理を行うまでのフローチャートを示す図。
【発明を実施するための形態】
【００１８】
以下、添付図面を基に本発明が為替取引に用いられる場合の実施形態について説明する。
【００１９】
図１は、ネットワークを通じて為替取引を行うためのシステム全体の構成を示す概念図であり、投資家などのユーザが保有するユーザ端末１００、本発明に係る相場チャート分析プログラムをユーザに提供するサービス提供者の情報系システム２００、ネットワークを通じてオンラインでの為替取引を仲介する仲介業者業務系システム３００、及び為替取引市場が有する為替市場のサーバシステム４００とで構成される。
【００２０】
サービス提供者の情報系システム２００と為替市場のサーバシステム４００とは、専用回線６００ａで接続される。為替市場のサーバシステム４００が備える相場情報記憶手段４２０には為替市場の相場情報５００ａが常時蓄積されている。相場情報５００ａは為替市場のサーバシステム４００が備える相場情報送信手段４１０により、専用回線６００ａを通じてサービス提供者の情報系システム２００が備える相場情報受信手段２１０へ送信される（図２）。
【００２１】
サービス提供者の情報系システム２００と仲介業者業務系システム３００とは、専用回線６００ｂで接続され、ユーザの登録情報、為替取引実績情報などの情報が共有される。
【００２２】
次に、サービス提供者の情報系システム２００の構成の概略を図２に基づいて説明する。サービス提供者の情報系システム２００は、相場情報受信手段２１０、記憶手段２２０、及び情報送受信手段２３０を主な構成とする。
【００２３】
相場情報受信手段２１０は、相場情報送信手段４１０により送信された相場情報５００ａを受信する役割を果たす。
【００２４】
また、為替相場は為替市場において常時変動するので、相場情報受信手段２１０は、相場情報送信手段４１０から常時相場情報５００ａを受信し、相場情報受信手段２１０が備える相場情報更新手段２１１は、相場情報受信手段２１０で受信した相場情報５００ａを受信毎に最新の相場情報へと更新する処理を行う。
【００２５】
記憶手段２２０は、相場情報データベース２２１ａ及び商品情報データベース２２１ｂで構成される。記憶手段２２０によって、相場情報更新手段２１１で更新された相場情報５００ａは相場情報データベース２２１ａに蓄積される。商品情報データベース２２１ｂには、サービス提供者がユーザに提供するアプリケーションソフトなどの商品情報５００ｂが保存されている。
【００２６】
情報送受信手段２３０は、インターネットなどの通信回線７００を通じてユーザ端末１００と情報の送受信を行う役割を果たす。
【００２７】
ユーザ端末１００を保有する投資家などのユーザは、通信回線７００を通じてサービス提供者が開設するウェブサイトにアクセスし、商品情報データベース２２１ｂに保存されているアプリケーションソフトをダウンロードすることで本発明の相場チャート分析プログラムの提供を受けることができる。また、相場情報データベース２２１ａに蓄積されている相場情報５００ａの提供を受けることもできる。
【００２８】
次に、ユーザ端末１００の構成の概略を図３に基づいて説明する。ユーザ端末１００は、ユーザが、前記ウェブサイトにアクセスし、サービス提供者が提供する前記アプリケーションなどの商品情報５００ｂ及び相場情報５００ａを受信するための情報送受信手段１１０、受信した相場情報５００ａ及び商品情報５００ｂを記憶する記憶手段１３０、商品情報５００ｂに含まれる前記アプリケーションソフトに係る本発明の相場チャートプログラムを実行させるための処理手段１２０、相場情報５００ａをチャートとして表示する液晶ディスプレイなどの画像表示手段１４０、及びマウス、キーボードなどの入力手段１５０で主に構成される。
【００２９】
次に、ユーザ端末１００を用いて、為替相場のチャート分析について説明する。ユーザは入力手段１５０を用いて、サービス提供者が開設するウェブサイトにアクセスする処理情報を入力し、当該情報は情報送受信手段１１０でサービス提供者の情報系システム２００が備える情報送受信手段２３０に送信される。
【００３０】
情報送受信手段２３０で前記アクセスする処理情報を受信後、情報送受信手段２３０は、前記ウェブサイトに関する情報をユーザ端末１００が備える情報送受信手段１１０に送信する処理を行う。これにより、ユーザは前記ウェブサイトを閲覧することができる。
【００３１】
次に、ユーザは入力手段１５０を用いて、本発明の相場チャート分析プログラムを含むアプリケーションソフトなどの商品情報５００ｂ及び相場情報５００ａを取得するための処理情報を入力し、当該情報は情報送受信手段１１０でサービス提供者の情報系システム２００が備える情報送受信手段２３０に送信される。
【００３２】
情報送受信手段２３０で商品情報５００ｂ及び相場情報５００ａを取得するための処理情報を受信後、情報送受信手段２３０は、商品情報データベース２２１ｂから本発明の相場チャート分析プログラムを含むアプリケーションソフトなどの商品情報５００ｂを、相場情報データベース２２１ａから相場情報５００ａをそれぞれユーザ端末１００が備える情報送受信手段１１０に送信する処理を行う。
【００３３】
情報送受信手段１１０が相場情報５００ａ及び商品情報５００ｂを受信後、記憶手段１３０への相場情報５００ａの保存は、処理手段１２０が備える相場情報取得手段１２０ａが行う。なお、相場情報５００ａは、サービス提供者の情報系システム２００が備える相場情報データベース２２１ａに過去の相場情報から現在の最新の相場情報として蓄積されているので、相場情報取得手段１２０ａが取得する相場情報５００ａには、所定の過去まで遡る相場情報から現在の最新の相場情報を含むものである。また、記憶手段１３０への商品情報５００ｂの保存は、処理手段１２０が備える商品情報取得手段１２０ｂが行う。
【００３４】
次に、ユーザは入力手段１５０で相場情報５００ａを画像表示手段１４０に表示させるための処理情報を入力する。
【００３５】
これにより、処理手段１２０が相場情報５００ａに含まれる前記所定の過去まで遡る相場情報及び現在の最新の相場情報を記憶手段１３０から取得して、主に縦軸を為替相場、横軸を時間としたチャートを画像表示手段１４０に表示させる処理を実行する（Ｓ７１０、Ｓ７２０）。
【００３６】
次に、チャート分析起点情報取得手段１２０ｃは、チャート分析を行うチャート分析起点情報の入力を促すためのチャート分析起点情報入力欄８００を画像表示手段１４０に表示させる処理を実行する。
【００３７】
チャート分析時間情報取得手段１２０ｄは、チャート分析を行う前記起点からの分析時間を定めたチャート分析時間情報の入力を促すためのチャート分析時間情報入力欄８１０を画像表示手段１４０に表示させる処理を実行する。
【００３８】
分析チャート描画期間情報取得手段１２０ｅは前記分析時間内における相場の高値情報及び安値情報を、分析されたチャートとして画像表示手段１４０に描画する、分析チャート描画期間情報の入力を促すための分析チャート描画期間情報入力欄８２０を画像表示手段１４０に表示させる処理を実行する。
【００３９】
ユーザは、チャート分析起点情報入力欄８００、チャート分析時間情報入力欄８１０、及び分析チャート描画期間情報入力欄８２０にユーザが希望する条件（チャート分析を行う起点、前記起点からの分析時間、前記分析時間内における分析されたチャートを画像表示手段に描画する期間）を入力手段１５０を用いて入力することができる。
【００４０】
図５は、チャート分析起点情報、チャート分析時間情報、分析チャート描画期間情報、及び取引判断基準情報の入力画面を示す図であり、米ドル／日本円の為替の変動幅をロウソク足２分足で表示する場合としたものである。
【００４１】
なお、ユーザは入力手段１５０を用いて前記為替の変動幅を、１分足、５分足、１時間足等、希望する条件を入力することができる。
【００４２】
チャート分析起点情報入力欄８００にチャート分析開始時間である午後６時を意味するチャート分析起点情報「１８」を、チャート分析時間情報入力欄８１０に午後６時から１８０分間の相場の高値情報及び安値情報を相場情報５００ａから抽出することを意味するチャート分析時間情報「１８０」を、分析チャート描画期間情報入力欄８２０に午後６時から１８０分間における前記抽出した相場の高値情報及び安値情報を、午後６時から７２０分間画像表示手段１４０に描画することを意味する分析チャート描画期間情報「７２０」をそれぞれ入力する（Ｓ７３０）。
【００４３】
これら３つの時間情報である、チャート分析を行う起点を定めたチャート分析起点情報、前記起点からのチャート分析時間情報、及び前記分析時間内における分析されたチャートを画像表示手段に描画する分析チャート情報描画期間情報をユーザが希望する条件で設定することで、チャート分析する起点から分析時間内における相場の高値情報及び安値情報を相場情報５００ａから抽出し、前記高値情報及び安値情報を、分析されたチャートとしてユーザが希望する描画期間画像表示手段１４０に表示させる指示をこれらの入力欄で行うことができる。
【００４４】
チャート分析起点情報入力欄８００、チャート分析時間情報入力欄８１０及び分析チャート描画期間情報入力欄８２０に前記情報を入力すると、チャート分析起点情報取得手段１２０ｃは前記チャート分析起点情報を取得し、チャート分析時間情報取得手段１２０ｄは前記チャート分析時間情報を取得し、分析チャート描画期間情報取得手段１２０ｅは前記分析チャート描画期間情報を取得して、それぞれ記憶手段１３０に保存する。
【００４５】
高値情報抽出手段１２０ｆは、前記チャート分析起点情報に係る時刻での相場情報５００ａを記憶手段１３０から取得する。前記の場合、午後６時における相場情報５００ａを記憶手段１３０から取得する。
【００４６】
次に、高値情報抽出手段１２０ｆは、前記チャート分析時間情報に係る時間である１８０分間、午後６時から常時最新の相場情報５００ａを記憶手段１３０から取得する。
【００４７】
そこで高値情報抽出手段１２０ｆは、前記取得した午後６時における相場情報５００ａと、前記取得した最新の相場情報５００ａとを比較し、比較の結果の高値を最新の高値情報として記憶手段１３０に保存させ、その後も常時取得する最新の相場情報５００ａと記憶手段１３０に保存されている前記最新の高値情報とを比較することにより、前記入力された起点からの分析時間内における相場の高値情報を抽出する処理を実行することが可能となる（Ｓ７４０）。
【００４８】
安値情報抽出手段１２０ｇは、前記チャート分析起点情報に係る時刻での相場情報５００ａを記憶手段１３０から取得する。前記の場合、午後６時における相場情報５００ａを記憶手段１３０から取得する。
【００４９】
次に、安値情報抽出手段１２０ｇは、前記チャート分析時間情報に係る時間である１８０分間、午後６時から常時最新の相場情報５００ａを記憶手段１３０から取得する。
【００５０】
そこで安値情報抽出手段１２０ｇは、前記取得した午後６時における相場情報５００ａと、前記取得した最新の相場情報５００ａとを比較し、比較の結果の安値を最新の安値情報として記憶手段１３０に保存させ、その後も常時取得する最新の相場情報５００ａと記憶手段１３０に保存されている前記最新の安値情報とを比較することにより、前記入力された起点からの分析時間内における相場の安値情報を抽出する処理を実行することが可能となる（Ｓ７４０）。
【００５１】
前記相場の高値情報及び安値情報の抽出処理と共に、処理手段１２０が備える高値・安値情報出力手段１２０ｈは、前記取得した分析チャート描画期間情報をもとに、前記抽出した相場の高値情報及び安値情報を、分析されたチャートとして、前記取得した描画期間情報で指定された期間画像表示手段１４０に表示する処理を実行する（Ｓ７５０）。
【００５２】
図７は本発明の相場チャート分析プログラムの実行により分析されたチャート画面の一例を示す米ドル／日本円の為替相場のチャートを表し、縦軸を為替相場（単位：円）、横軸を時間としている。図中破線９００は、分析起点である午後６時から分析時間１８０分における為替相場の高値情報を表し、一点鎖線９１０は、分析起点である午後６時から分析時間１８０分における為替相場の安値情報を表している。
【００５３】
図７において、１８：０８に１８：００以降の相場の最高値８１．２４円に達したため、破線９００ａで示す高値情報となり、１９：２０に前記８１．２４円より高い最高値８１．２６円に達したため、破線９００ｂで示す高値情報となっている。
【００５４】
同様に、１８：３０まで安値情報９１０ａを示していた８１．１５円が、１８：３０に前記８１．１５円より安い８１．１３円に達したため、一点鎖線９１０ｂで示す安値情報となっている。
【００５５】
このような高値情報９００及び安値情報９１０を分析チャート描画期間である午後６時から７２０分表示される概念図を図６（ａ）に示す。図６（ａ）では、午後６時から１８０分間の相場の高値情報を９００ｃ、安値情報を９００ｄとして、午後６時から７２０分表示し、さらに午前６時から１８０分間の相場の高値情報を９００ｅ、安値情報を９００ｆとして、午前６時から７２０分表示したものである。
【００５６】
チャートが高値情報９００ｃに到達または上回った場合、ユーザは前記チャートと高値情報９００ｃとの交点Ｓ１を見て、為替取引の仲介業者に高値情報９００ｃの値段で買注文をすることができる。
【００５７】
その後、チャートが午前９時以降、安値情報９００ｆに到達又は下回った場合、ユーザは前記チャートと安値情報９００ｆとの交点Ｓ２を見て、前記買い注文の決済処理を入力手段１５０をも入力することができる。
【００５８】
このように、ユーザはこの分析されたチャートを為替取引をする判断材料として用いることができる。また、従来の過去の情報から為替チャートを分析するのではなく、入力されたチャート分析起点情報、前記起点からのチャート分析時間情報をもとに抽出された相場の高値情報９００及び安値情報９１０が画像表示手段１４０に表示されることで、その表示された高値情報９００及び安値情報９１０から為替チャートを分析することができる。
【００５９】
このように、為替の推移をチャート分析起点、チャート分析時間、及び分析チャート描画期間の３つの時間情報をパラメータとして設定することにより、設定した時間内における相場の高値情報及び安値情報を分析チャートとして表示させる時間軸を採用した相場チャート分析プログラムを提供することができることが本発明の特徴である。
【００６０】
次に、ユーザが株式や為替の取引をする際、取引判断の目安となる情報をチャートに反映させるチャート分析について説明する。なお、相場情報５００ａの取得及び商品情報５００ｂの取得から高値・安値情報を抽出するまでの処理は前記と同様であるので、重複する箇所の説明は省略する。
【００６１】
図５において、取引判断基準情報取得手段１２０ｉは、取引判断基準情報の入力を促すための取引判断基準情報入力欄８３０を画像表示手段１４０に表示させる処理を実行する。
【００６２】
取引判断基準情報入力欄８３０に高値情報及び安値情報に対する所定の取引判断基準情報「３」を入力する（Ｓ７３１）。当該取引判断基準情報「３」は、米ドル／日本円の為替相場において、例えば高値情報を１００円とした場合、当該１００円に３銭加えることを意味し、安値情報を８０円とした場合、当該８０円から３銭減ずる数値であることを意味する。
【００６３】
前記取引判断基準情報の入力後、取引判断基準情報取得手段１２０ｉは前記取引判断基準情報を取得して、これを記憶手段１３０に保存する。
【００６４】
買判断基準情報生成手段１２０ｊは、高値情報抽出手段１２０ｆが抽出した相場の高値情報９００を記憶手段１３０から取得する。
【００６５】
次いで、買判断基準情報生成手段１２０ｊは、高値情報９００と、前記の取引判断基準情報に基づき、買判断の基準となる買判断基準情報を生成する。例えば米ドル／日本円の為替相場の場合、買判断基準情報生成手段１２０ｊが、高値情報９００に係る数値に、前記取引判断基準情報に係る数値を１００で除算した数値を加え、買判断基準情報として生成する処理を実行する（Ｓ７４１）。前記生成された買判断基準情報は保存手段１３０に保存される。
【００６６】
また、売判断基準情報生成手段１２０ｋは、安値情報抽出手段１２０ｇが抽出した相場の安値情報９１０を記憶手段１３０から取得する。
【００６７】
次いで、売判断基準情報生成手段１２０ｋは、安値情報９１０と、前記の取引判断基準情報に基づき、売判断の基準となる売判断基準情報を生成する。例えば米ドル／日本円の為替相場の場合、売判断基準情報生成手段１２０ｋが、安値情報９１０に係る数値から、前記取引判断基準情報に係る数値を１００で除算した数値を減じ、売判断基準情報として生成する処理を実行する（Ｓ７４１）。前記生成された売判断基準情報は保存手段１３０に保存される。
【００６８】
前記買判断基準情報及び売判断基準情報の生成処理と共に、買判断・売判断基準情報出力手段１２０ｌは、分析チャート描画期間情報入力欄８２０に入力された分析チャート描画期間情報をもとに、前記生成した買判断基準情報及び売判断基準情報を、前記取得した描画期間情報で指定された期間画像表示手段１４０に表示する処理を実行する（Ｓ７５０）。
【００６９】
図７において、１８：０８に１８：００以降の相場の最高値８１．２４円に３銭加えられた８１．２７円が買判断基準情報として実線９２０ａで示され、１９：２０に前記最高値８１．２４円より高い最高値８１．２６円に３銭加えられた８１．２９円が買判断基準情報として実線９２０ｂで示されている。
【００７０】
同様に、１８：３０まで安値情報９１０ａを示していた８１．１５円から３銭減じられた８１．１２円が売判断基準情報として二点鎖線９３０ａとして示され、１８：３０に前記最安値８１．１５円より安い最安値８１．１３円から３銭減じられた８１．１０円が売判断基準情報として二点鎖線９３０ｂとして示されている。
【００７１】
図８は高値情報９００及び安値情報９１０並びに買判断基準情報９２０及び売判断基準情報９３０が、分析されたチャートとして表示された結果、買判断をする場合の概念図を示すものである。米ドル／日本円の為替チャートを例とし、前記相場チャート分析プログラムの実行により、高値情報９００を９０．００円、また、取引判断基準情報を「３」とし、買判断基準情報９２０を９０．０３円とした場合における買判断について説明する。
【００７２】
図８（ａ）は、為替相場での為替取引の結果、終値が始値よりも高い場合を示すものである。まずロウソク足９４０については、始値９４０ａから始まり、時間の経過と共にロウソク足９４０は上に伸びていく値動きを示す。値動きの結果取引の終値９４０ｂが高値となり、買判断基準情報９２０と同じ位置に達した。従って、値動きしている時間中、ロウソク足９４０の上端部が買判断基準情報９２０と同じ位置に達した時又はその位置を上回った時、買判断基準情報９２０を買判断とすることができる。ユーザは、前記上端部が買判断基準情報９２０と同じ位置又はその位置を上回った情報を見て、為替取引の仲介事業者に買判断基準情報９２０である９０．０３円で買注文を入力手段１５０で入力するか否かを選択することができる。
【００７３】
次に、ロウソク足９４１については、始値９４１ａから始まり、時間の経過と共にロウソク足９４１は上に伸びていく値動きを示す。値動きの結果取引の高値は高値線９４１ｃで示され買判断基準情報９２０を上回る位置に達した。また、取引の終値９４１ｂは高値情報９００と同じ位置に達した。従って、値動きしている時間中、高値線９４１ｃが買判断基準情報９２０と同じ位置に達した又はその位置を上回った時、買判断基準情報９２０を買判断とすることができる。ユーザは、高値線９４１ｃが買判断基準情報９２０と同じ位置又はその位置を上回った情報を見て、為替取引の仲介事業者に買判断基準情報９２０である９０．０３円で買注文を入力手段１５０で入力するか否かを選択することができる。
【００７４】
次に、ロウソク足９４２については、始値９４２ａから始まり、時間の経過と共にロウソク足９４２は上に伸びていく値動きを示す。値動きの結果取引の終値９４２ｂが高値となり、買判断基準情報９２０を上回る位置に達した。従って、値動きしている時間中、ロウソク足９４２の上端部が買判断基準情報９２０と同じ位置に達した時又はその位置を上回った時、買判断基準情報９２０を買判断とすることができる。ユーザは、前記上端部が買判断基準情報９２０と同じ位置又はその位置を上回った情報を見て、為替取引の仲介事業者に買判断基準情報９２０である９０．０３円で買注文を入力手段１５０で入力するか否かを選択することができる。
【００７５】
次に、ロウソク足９４３については、始値９４３ａが既に買判断基準情報９２０を上回る位置に達しているので、始値９４３ａを買判断とすることができる。ユーザは、始値９４３ａの位置が買判断基準情報９２０の位置を上回った情報を見て、為替取引の仲介事業者に始値９４３ａの値段で買注文を入力手段１５０で入力するか否かを選択することができる。
【００７６】
図８（ｂ）は、為替相場での取引の結果、終値が始値よりも安い場合を示すものである。まずロウソク足９４４については、始値９４４ａが買判断基準情報９２０と同じ位置となっているので、買判断基準情報９２０を買判断とすることができる。ユーザは、始値９４４ａが買判断基準情報９２０と同じ位置となった情報を見て、為替取引の仲介事業者に買判断基準情報９２０である９０．０３円で買注文を入力手段１５０で入力するか否かを選択することができる。
【００７７】
次に、ロウソク足９４５については、始値９４５ａから始まり、時間の経過と共にロウソク足９４５は下に伸びていく値動きを示す。値動きの結果取引の高値は高値線９４５ｃで示され買判断基準情報９２０を上回る位置に達した。また、取引の終値９４５ｂが安値となり買判断基準情報９２０を下回る位置に達した。従って、値動きしている時間中、ロウソク足９４５の高値線９４５ｃが買判断基準情報９２０と同じ位置に達した又はその位置を上回った時、買判断基準情報９２０を買判断とすることができる。ユーザは、高値線９４５ｃが買判断基準情報９２０と同じ位置又はその位置を上回った情報を見て、為替取引の仲介事業者に買判断基準情報９２０である９０．０３円で買注文を入力手段１５０で入力するか否かを選択することができる。
【００７８】
次に、ロウソク足９４６については、始値９４６ａが既に買判断基準情報９２０を上回る位置に達しているので、始値９４６ａを買判断とすることができる。ユーザは、始値９４６ａの位置が買判断基準情報９２０の位置を上回った情報を見て、為替取引の仲介事業者に始値９４６ａの値段で買注文を入力手段１５０で入力するか否かを選択することができる。
【００７９】
次に、ロウソク足９４７については、始値９４７ａが既に買判断基準情報９２０を上回る位置に達しているので、始値９４７ａを買判断とすることができる。ユーザは、始値９４７ａの位置が買判断基準情報９２０の位置を上回った情報を見て、為替取引の仲介事業者に始値９４７ａの値段で買注文を入力手段１５０で入力するか否かを選択することができる。
【００８０】
図９は高値情報９００及び安値情報９１０並びに買判断基準情報９２０及び売判断基準情報９３０が、分析されたチャートとして表示された結果、売判断をする場合の概念図を示すものである。米ドル／日本円の為替チャートを例とし、前記相場チャート分析プログラムの実行により、安値情報９１０を８８．００円、また、取引判断基準情報を「３」とし、売判断基準情報９３０を８７．９７円とした場合における売判断について説明する。
【００８１】
図９（ａ）は、為替相場での為替取引の結果、終値が始値よりも高い場合を示すものである。まずロウソク足９５０については、始値９５０ａが売判断基準情報９３０と同じ位置となっているので、売判断を売判断基準情報９３０とすることができる。ユーザは、始値９５０ａが売判断基準情報９３０と同じ位置となった情報を見て、為替取引の仲介事業者に売判断基準情報９３０である８７．９７円で売注文を入力手段１５０で入力するか否かを選択することができる。
【００８２】
次に、ロウソク足９５１については、始値９５１ａから始まり、時間の経過と共ロウソク足９５１は上に伸びていく値動きを示す。値動きの結果取引の安値は安値線９５１ｃで示され売判断基準情報９３０を下回る位置に達した。また、取引の終値９５１ｂが高値となり、売判断基準情報９３０を上回る位置に達した。従って、値動きしている時間中、安値線９５１ｃが売判断基準情報９３０と同じ位置に達した又はその位置を下回った時、売判断基準情報９３０を売判断とすることができる。ユーザは、安値線９５１ｃが売判断基準情報９３０と同じ位置又はその位置を下回った情報を見て、為替取引の仲介事業者に売判断基準情報９３０である８７．９７円で売注文を入力手段１５０で入力するか否かを選択することができる。
【００８３】
次に、ロウソク足９５２については、始値９５２ａが売判断基準情報９３０を下回る位置に達しているので、売判断を始値９５０ａとすることができる。ユーザは、始値９５０ａが売判断基準情報９３０を下回る位置となった情報を見て、為替取引の仲介事業者に始値９５０ａの値段で売注文を入力手段１５０で入力するか否かを選択することができる。
【００８４】
次に、ロウソク足９５３については、始値９５３ａが売判断基準情報９３０を下回る位置に達しているので、始値９５３ａを売判断とすることができる。ユーザは、始値９５３ａが売判断基準情報９３０を下回る位置となった情報を見て、為替取引の仲介事業者に始値９５３ａの値段で売注文を入力手段１５０で入力するか否かを選択することができる。
【００８５】
図９（ｂ）は、為替相場での取引の結果、終値が始値よりも安い場合を示すものである。まずロウソク足９５４については、始値９５４ａから始まり、時間の経過と共にロウソク足９５４は下に伸びていく値動きを示す。値動きの結果取引の終値９５４ｂが安値となり、売判断基準情報９３０と同じ位置に達した。従って、値動きしている時間中、ロウソク足９５４の下端部が売判断基準情報９３０と同じ位置に達した時又はその位置を下回った時、売判断基準情報９３０を売判断とすることができる。ユーザは、前記下端部が売判断基準情報９３０と同じ位置又はその位置を下回った情報を見て、為替取引の仲介事業者に売判断基準情報９３０である８７．９７円で売注文を入力手段１５０で入力するか否かを選択することができる。
【００８６】
次に、ロウソク足９５５については、始値９５５ａから始まり、時間の経過と共にロウソク足９５５は下に伸びていく値動きを示す。値動きの結果取引の安値は安値線９５５ｃで示され売判断基準情報９３０を下回る位置に達した。従って、値動きしている時間中、安値線９５５ｃが売判断基準情報９３０と同じ位置に達した又はその位置を下回った時、売判断基準情報９３０を売判断とすることができる。ユーザは、安値線９５５ｃが売判断基準情報９３０と同じ位置又はその位置を下回った情報を見て、為替取引の仲介事業者に売判断基準情報９３０である８７．９７円で売り注文を入力手段１５０で入力するか否かを選択することができる。
【００８７】
次に、ロウソク足９５６については、始値９５６ａから始まり、時間の経過と共にロウソク足９５６は下に伸びていく値動きを示す。値動きの結果取引の終値９５６ｂが安値となり、売判断基準情報９３０を下回る位置に達した。従って、値動きしている時間中、ロウソク足９５６の下端部が売判断基準情報９３０と同じ位置に達した時又はその位置を下回った時、売判断基準情報９３０を売判断とすることができる。ユーザは、前記下端部が売判断基準情報９３０と同じ位置又はその位置を下回った情報を見て、為替取引の仲介事業者に売判断基準情報９３０である８７．９７円で売注文を入力手段１５０で入力するか否かを選択することができる。
【００８８】
次に、ロウソク足９５７については、始値９５７ａが売判断基準情報９３０を下回る位置に達しているので、始値９５７ａを売判断とすることができる。ユーザは、始値９５７ａの位置が売判断基準情報９３０の位置を下回った情報を見て、為替取引の仲介事業者に始値９５７ａの値段で売注文を入力手段１５０で入力するか否かを選択することができる。
【００８９】
前記のような機能を、以下の場合に利用すると効果的である。例えば、米国雇用統計の発表を為替チャート分析として利用する場合について説明する。
【００９０】
米国雇用統計は、日本時間２１時３０分（夏時間）に発表されるので、チャート分析起点情報入力欄８００に分析起点情報「１９」を入力し、チャート分析期間情報入力欄８１０に分析時間情報「１２０」を入力し、分析チャート描画期間情報入力欄８２０に「７２０」を入力し、取引判断基準情報入力欄８３０に「３」を入力する。
【００９１】
図１１は前記入力した情報をもとに、分析された米ドル／日本円の為替チャートを描画させたものである。高値情報９６０が８２．５６円、安値情報９７０が８２．２５円、買判断基準情報９８０が８２．５９円、売判断基準情報９９０が８２．２２円として表示される。
【００９２】
ユーザは買判断基準情報９８０の８２．５９円及び売判断基準情報９９０の８２．２２円を基に、為替取引の仲介業者に８２．５９円の買注文及び８２．２２円の売注文を前記米国雇用統計の発表前に注文することができる。
【００９３】
前記米国雇用統計が日本時間２１時３０分（夏時間）に発表され、例えば結果が大方の事前予想よりも大幅に下回った場合、ドルは下落し、相場が売判断基準情報９９０を下回った場合に、前記８２．２２円の売り注文が執行される。また、結果が事前予想よりも大幅に上回った場合、ドルは上昇し、相場が買判断基準情報９８０を上回った場合に、前記８２．５９円の買い注文が執行される。ユーザは買判断基準情報９８０及び売判断基準情報９９０を事前に取得することができ、確率の高い投資売買を行うことができる。
【００９４】
従って、経済統計発表が為替相場の変動に大きな影響を与えるような為替状況において、前記統計発表前にユーザが本発明に係る相場チャートプログラムを実行すれば、ユーザは事前に買判断基準情報９８０、売判断基準情報９９０を取得でき、前記統計発表後、為替相場が上昇した場合又は下落した場合でも的確に為替売買を実行することができる。
【００９５】
このように、為替の推移をチャート分析起点、チャート分析時間、及び分析チャート描画期間の３つの時間情報をパラメータとして設定することにより、設定した時間内における相場の高値情報及び安値情報を分析チャートとして表示させると共に、ユーザが株式や為替取引をする際、取引判断の目安となる情報を設定することにより、ユーザが希望する取引判断情報をチャートに反映させる相場チャート分析プログラムを提供することができることが本発明の特徴である。
【００９６】
次に、前記チャート分析のための前記所定の条件を入力する際、分析されたチャートを描画する描画期間経過後にその期間経過後の終値で自動的に決済処理を実行する自動決済処理選択情報を入力することもできる（Ｓ７３２）。
【００９７】
図１０において、自動決済処理選択情報取得手段１２０ｍは、自動決済処理選択情報の入力を促すための自動決済処理選択情報入力欄８４０（図１０）を画像表示手段１４０に表示させる処理を実行する。
【００９８】
ユーザは入力手段１５０を用いて、前記自動決済処理選択情報を自動決済処理選択情報入力欄８４０に入力する。チャート分析起点情報入力欄８００には午前６時を意味する「６」を、チャート分析時間情報入力欄８１０に午前６時から１８０分間の相場の高値及び安値を抽出することを意味する「１８０」を、分析チャート描画期間情報入力欄８２０に午前６時から１８０分間の前記抽出した相場の高値及び安値を、分析されたチャートとして、午前６時から７２０分間画像表示手段１４０に描画することを意味する「７２０」をそれぞれ入力する。
【００９９】
自動決済処理選択情報取得手段１２０ｍは、前記自動決済処理選択情報の入力後、当該自動決済処理選択情報を取得し、これを記憶手段１３０に保存する。
【０１００】
高値情報抽出手段１２０ｆ及び安値情報抽出手段１２０ｇがそれぞれ午前６時から１８０分間の相場の高値情報及び安値情報を抽出し（Ｓ７４０）、高値・安値情報出力手段１２０ｈが前記高値情報及び安値情報を午前６時から７２０分表示し（Ｓ７５０）、その後、自動決済処理手段１２０ｎは、記憶手段１３０が取得した午後６時における相場情報５００ａ及び前記取得した自動決済処理選択情報をもとに、７２０分経過後即ち１８時００分での終値で決済する処理を実行する（Ｓ７６０）。
【０１０１】
図６（ｂ）は、午前６時から１８０分間の相場の高値情報を９００ｇ、安値情報を９００ｈとして、午前６時から７２０分表示し、さらに午後６時から１８０分間の相場の高値情報を９００ｉ、安値情報を９００ｊとして、午後６時から７２０分表示したものである。
【０１０２】
チャートが高値情報９００ｇに到達または上回った場合、ユーザは前記チャートと高値情報９００ｇとの交点Ｓ３を見て、為替取引の仲介業者に高値情報９００ｇの値段で買注文をすることができる。その後自動決済処理手段１２０ｎは、午後６時の時点における終値Ｐで自動的に決済処理を実行する。
【０１０３】
また、チャートが午後６時以降、安値情報９００ｊに到達又は下回った場合、ユーザは前記チャートと安値情報９００ｊとの交点Ｓ４を見て、為替取引の仲介業者に高値情報９００ｊの値段で売注文をすることができる。その後自動決済処理手段１２０ｎは、午前６時の時点における終値Ｑで自動的に決済処理を実行する。
【０１０４】
前記のような機能を、東京証券取引所などの取引時間が限られている場合に利用することができる。東京証券取引所のマーケットは午前９時から午前１１時までの取引（以下「前場」という）及び午後１２時３０分から午後３時までの取引（以下「後場」という）のように取引時間が限られている。前記前場の取引時間を利用したチャート分析について説明する。
【０１０５】
起点情報入力欄８００に分析時間情報「９」を、分析時間情報入力欄８１０に分析時間情報「２０」を、分析チャート描画期間情報入力欄８２０に分析チャート描画期間情報「１２０」をそれぞれ入力し、自動決済処理選択情報入力欄８４０に自動決済処理情報を入力する。
【０１０６】
自動決済処理選択情報取得手段１２０ｍは、前記自動決済処理選択情報の入力後、当該自動決済処理選択情報を取得し、これを記憶手段１３０に保存する。
【０１０７】
高値情報抽出手段１２０ｆ及び安値情報抽出手段１２０ｇがそれぞれ午前９時から２０分間の相場の高値情報及び安値情報を抽出し（Ｓ７４０）、高値・安値情報出力手段１２０ｈが前記高値情報及び安値情報を午前９時から１２０分表示し（Ｓ７５０）、その後、自動決済処理手段１２０ｎは、記憶手段１３０が取得した午前１１時における相場情報５００ａ及び前記取得した自動決済処理選択情報をもとに、１２０分経過後即ち１１時００分の終値で決済する処理を実行する（Ｓ７６０）。
【０１０８】
このような自動決済処理を選択することで、ユーザは取引の決済の選択を前記起点情報、分析時間情報及び分析チャート描画期間情報の入力と共に自由に設定することができるので、取引時間が限られているマーケットにも対応することができる。
【０１０９】
従って、為替の推移をチャート分析起点、チャート分析時間、及び分析チャート描画期間の３つの時間情報をパラメータとして設定することにより、設定した時間内における相場の高値情報及び安値情報を分析チャートとして表示させると共に、分析チャート描画期間経過中、又はチャート分析期間経過後に当該期間経過時点での終値で株式や為替取引を行う情報を設定することにより、分析チャート描画期間経過中、又はチャート分析期間経過時点での終値で株式や為替取引を自動的に行う相場チャート分析プログラムを提供することができることが本発明の特徴である。
【０１１０】
なお、本発明の実施形態について主に為替取引を例に記載したが、他の実施形態、例えば株式取引を行う際にも本発明を適用させることができる。
【符号の説明】
【０１１１】
１００  ユーザ端末
１１０  情報送受信手段
１２０  処理手段
１２０ａ  相場情報取得手段
１２０ｂ  商品情報取得手段
１２０ｃ  チャート分析起点情報取得手段
１２０ｄ  チャート分析時間情報取得手段
１２０ｅ  分析チャート描画期間情報取得手段
１２０ｆ  高値情報抽出手段
１２０ｇ  安値情報抽出手段
１２０ｈ  高値・安値情報出力手段
１２０ｉ  取引判断基準情報取得手段
１２０ｊ  買判断基準情報生成手段
１２０ｋ  売判断基準情報生成手段
１２０ｌ  買判断・売判断基準情報出力手段
１２０ｍ  自動決済処理選択情報取得手段
１２０ｎ  自動決済処理手段
１３０  記憶手段
１４０  画像表示手段
１５０  入力手段
２００  サービス提供者の業務系システム
２１０  相場情報受信手段
２１１  相場情報更新手段
２２０  記憶手段
２２１ａ  相場情報データベース
２２１ｂ  商品情報データベース
２３０  情報送受信手段
３００  仲介業者業務系システム
４００  為替市場のサーバシステム
４１０  相場情報送信手段
４２０  相場情報記憶手段
５００ａ  相場情報
５００ｂ  商品情報
６００ａ、６００ｂ  専用回線
７００  通信回線
８００  チャート分析起点情報入力欄
８１０  チャート分析時間情報入力欄
８２０  分析チャート描画期間情報入力欄
８３０  取引判断基準情報入力欄
９００  起点からの分析時間内における為替相場の高値情報
９１０  起点からの分析時間内における為替相場の安値情報
９２０  起点からの分析時間内における取引の買判断基準情報
９３０  起点からの分析時間内における取引の売判断基準情報
【図１】
2012104067.tif 000003
【図２】
2012104067.tif 000004
【図３】
2012104067.tif 000005
【図４】
2012104067.tif 000006
【図５】
2012104067.tif 000007
【図６】
2012104067.tif 000008
【図７】
2012104067.tif 000009
【図８】
2012104067.tif 000010
【図９】
2012104067.tif 000011
【図１０】
2012104067.tif 000012
【図１１】
2012104067.tif 000013
【図１２】
2012104067.tif 000014